(57)【要約】【課題】高速連写によって得られた一連の画像の中から、簡単且つ迅速にベストショットを探し出すことができるデジタルカメラを提供すること。【解決手段】十字ボタン（上）３２４ｃと十字ボタン（下）３２４ｄの何れかがユーザによって操作された場合、そのときの押圧力量が検出される。この押圧力量に応じて待機時間が設定される。液晶モニタ２２２の表示画像は待機時間毎に更新される。【選択図】図１２
2006246004.tif 000002
【特許請求の範囲】
【請求項１】
連続的に複数回の撮影を行って複数の画像を取得する連写手段と、
上記連写手段によって取得された複数の画像を記憶する画像記憶手段と、
第１の操作部材と、
上記第１の操作部材と異なる第２の操作部材と、
上記第１の操作部材の１操作に応答して、上記画像記憶手段から１つの画像を読み出す第１の読出手段と、
上記第２の操作部材の操作に応答して、上記画像記憶手段から複数の画像を、上記操作時の操作力量に応じた間隔でもって連続的に読み出す第２の読出手段と、
上記第１の読出手段又は上記第２の読出手段によって画像が読み出されるたびに、読み出された画像を表示する表示手段と、
を具備することを特徴とするデジタルカメラ。
【請求項２】
上記第２の読出手段は、上記操作力量から上記間隔をテーブル参照して決定することを特徴とする請求項１に記載のデジタルカメラ。
【請求項３】
上記第２の操作部材は押圧操作部材であり、
上記押圧操作部材の押圧力量を検出することにより、上記操作力量を検出する検出手段を含むことを特徴とする請求項１に記載のデジタルカメラ。
【請求項４】
上記第２の読出手段は、上記操作力量が大きくなるにつれて上記間隔を短くすることを特徴とする請求項１に記載のデジタルカメラ。
【請求項５】
上記第２の読出手段は、上記操作力量が所定量未満の場合には、上記第２の操作部材が非操作状態であると判定して上記読み出しを行わないことを特徴とする請求項１に記載のデジタルカメラ。
【請求項６】
手動操作部材の操作に応答して、記憶媒体に記憶された画像を読み出して表示するデジタルカメラにおいて、
上記手動操作部材が継続的に操作されている場合には、上記表示する画像を順次更新し、
上記更新の速さが、上記手動操作部材の操作力量に応じて変更されることを特徴とするデジタルカメラ。
【請求項７】
上記更新の速さは、上記手動操作部材の操作力量が大きい場合に速くなることを特徴とする請求項６に記載のデジタルカメラ。
【発明の詳細な説明】
【技術分野】
【０００１】
本発明は、連続撮影可能なデジタルカメラに関する。
【背景技術】
【０００２】
近年のデジタルカメラでは、撮影時の動作モードとして単写モードと連写モードとを備えているものが多い。単写モードは、ユーザによるレリーズボタンの押操作に応答して１フレームの画像の撮影が行われる動作モードである。一方、連写モードは、ユーザがレリーズボタンを押操作している間、撮影動作が繰り返され、これによって複数フレームの画像の撮影が行われる動作モードである。ここで、連写モードにおける連写速度は、将来的には１秒間に数１０フレームに達することが予想されている。このような超高速の連写モードで撮影を行うと、１回の連続撮影で数１０フレーム分の画像ファイルが記録媒体に記録されることになる。
【０００３】
ところで、連写モードで撮影する最大の理由は、ベストショットを確実に得るためである。したがって、連写後には、連写によって得られた一連の画像の中から、ベストショットの画像を簡単且つ迅速に探し出せることが重要である。このようなベストショットの画像を探す手法としては、画像選択用のボタンを操作して液晶モニタなどに１枚ずつ画像を表示させながら確認する手法が一般的である。しかし、このような手法では、連写によって撮影された画像の枚数が多くなると確認作業が煩雑になるおそれがある。
【０００４】
そこで、例えば特許文献１や特許文献２などのような手法が提案されている。特許文献１などでは、連写によって撮影された画像を縮小して複数同時に表示させる（マルチインデックス表示）ようにしている。また、特許文献２では、最初の選択操作では代表画像（１枚又は複数枚）だけを表示させるようにしている。また、この他にも、連写によって撮影された画像を１つの動画像として表示させるような手法もある。
【特許文献１】特開平１０−３０４３０１号公報
【特許文献２】特開２００１−２８５７７９号公報
【発明の開示】
【発明が解決しようとする課題】
【０００５】
ここで、特許文献１において提案されているマルチインデックス表示の場合、画像が縮小表示されているので画像の細部を確認し難い。また、特許文献２において提案されている代表画像を表示させる手法はベストショットを含む画像のグループを探すのには適しているが、ベストショットの画像を探すためには、グループの中で１枚ずつ画像を確認する必要があるため、余り効率が良くない。更に、連続撮影によって得られた画像を動画像として表示する手法は、画像の枚数が多くなると再生に時間がかかり、これに伴って画像の確認にも時間がかかってしまう。
【０００６】
本発明は、上記の事情に鑑みてなされたもので、高速連写によって得られた一連の画像の中から、簡単且つ迅速にベストショットを探し出すことができるデジタルカメラを提供することを目的とする。
【課題を解決するための手段】
【０００７】
上記の目的を達成するために、本発明の第１の態様によるデジタルカメラは、連続的に複数回の撮影を行って複数の画像を取得する連写手段と、上記連写手段によって取得された複数の画像を記憶する画像記憶手段と、第１の操作部材と、上記第１の操作部材と異なる第２の操作部材と、上記第１の操作部材の１操作に応答して、上記画像記憶手段から１つの画像を読み出す第１の読出手段と、上記第２の操作部材の操作に応答して、上記画像記憶手段から複数の画像を、上記操作時の操作力量に応じた間隔でもって連続的に読み出す第２の読出手段と、上記第１の読出手段又は上記第２の読出手段によって画像が読み出されるたびに、読み出された画像を表示する表示手段とを具備することを特徴とする。
【０００８】
また、上記の目的を達成するために、本発明の第２の態様によるデジタルカメラは、手動操作部材の操作に応答して、記憶媒体に記憶された画像を読み出して表示するデジタルカメラにおいて、上記手動操作部材が継続的に操作されている場合には、上記表示する画像を順次更新し、上記更新の速さが、上記手動操作部材の操作力量に応じて変更されることを特徴とする。
【０００９】
これら第１及び第２の態様によれば、操作部材の操作力量に応じてベストショット画像確認のための表示画像の更新の間隔を変更することができる。これにより、効率良くベストショット画像を探し出すことができる。
【発明の効果】
【００１０】
本発明によれば、高速連写によって得られた一連の画像の中から、簡単且つ迅速にベストショットを探し出すことができるデジタルカメラを提供することができる。
【発明を実施するための最良の形態】
【００１１】
以下、図面を参照して本発明の実施形態を説明する。  
図１は、本発明の一実施形態に係るデジタルカメラ（以下、単にカメラと称する）の構成を示すために、デジタルカメラ本体の一部を切断してその内部構成を概略的に示した斜視図である。ここで、例として、図１のカメラ１は、一眼レフレックス方式のカメラを示している。
【００１２】
図１に示すように、カメラ１は、レンズ鏡筒１００とカメラ本体２００とから構成されている。
【００１３】
レンズ鏡筒１００内部には、複数の光学レンズから構成される撮影光学系１０２が配設されている。この撮影光学系１０２は、後述するレンズ駆動機構により光軸方向に移動自在に構成されており、図示しない被写体からの光束をカメラ本体２００の内部方向に透過させる。
【００１４】
カメラ本体２００の前面側の略中央部には、撮影光学系１０２を透過した光束を当該カメラ本体２００の内部に導くための所定の口径を有する露光用開口が形成されている。この露光用開口の周縁部には撮影光学系装着部２００ａが形成されており、この撮影光学系装着部２００ａを介してレンズ鏡筒１００は、カメラ本体２００に着脱自在になっている。ここで、カメラ本体２００には、撮影時の用途に応じた種々のレンズ鏡筒１００を装着できるようになっている。
【００１５】
更に、カメラ本体２００の内部には、ファインダ装置２０２、シャッタ部２０８、撮像ユニット２１１、回路基板２００ｂなどの種々の構成部材がそれぞれ所定の位置に配設されている。
【００１６】
ファインダ装置２０２は、クイックリターンミラー（以下、メインミラーと称する）２０２ａと、フォーカシングスクリーン２０２ｂと、ペンタプリズム２０２ｃと、接眼レンズ２０２ｄとから構成されている。
【００１７】
メインミラー２０２ａは、光入射面がハーフミラーになっており、撮影光学系１０２の光軸上の位置（図１に示す位置  以下、ダウン位置と称する）と光軸から退避する位置（以下、アップ位置と称する）との間で移動自在に構成されている。通常状態において、メインミラー２０２ａは、撮影光学系１０２の光軸から所定の角度、例えば角度４５度を有して配置されるようになっている。このような構成により、カメラ１が通常状態にあるときには、撮影光学系１０２を透過した光束の一部がメインミラー２０２ａで反射され、一部がメインミラー２０２ａを透過するようになっている。ここで、メインミラー２０２ａの裏面には、サブミラー２０３が設置されており、メインミラー２０２ａを透過した光束は、後述するＡＦセンサユニットに入射する。
【００１８】
また、メインミラー２０２ａで反射された光束はフォーカシングスクリーン２０２ｂに結像される。フォーカシングスクリーン２０２ｂに結像された像は、ペンタプリズム２０２ｃにおいて反転されて正立像になる。ペンタプリズム２０２ｃにおいて形成された像は、接眼レンズ２０２ｄにおいて拡大される。このような構成により、ユーザが被写体の像を目視確認することが可能である。
【００１９】
一方、カメラ１が撮影動作状態にあるときには、メインミラー２０２ａが撮影光学系１０２の光軸から退避する所定のアップ位置に移動される。このとき、撮影光学系１０２を透過した被写体からの光束は、シャッタ部２０８を介して撮像ユニット２１１に入射する。シャッタ部２０８は、例えばフォーカルプレーン式のシャッタ機構などから構成されている。また、シャッタ部２０８は、後述するシャッタ制御回路によって開閉可能に構成され、シャッタ部２０８の開閉時間が制御されることによって、シャッタ部２０８の後方に配設された撮像ユニット２１１の露光時間等が制御される。
【００２０】
また、撮像ユニット２１１は、防塵フィルタ（防塵ガラスともいう）２１３と撮像素子２１２などから構成されている。防塵フィルタ２１３は撮像素子２１２の前面側に配設されており、この防塵フィルタ２１３によって、撮像素子２１２の光電変換面に塵埃が付着するのが防止される。また、防塵フィルタ２１３は、後述する圧電素子によって振動可能に構成されており、防塵フィルタ２１３が振動されることにより、防塵フィルタ２１３に付着した塵埃が払い落とされる。撮像素子２１２は光電変換面を形成する多数の光電変換素子（例えば、フォトダイオード）などから構成され、撮像素子２１２の光電変換面に入射した光束は電気信号に変換される。
【００２１】
また、回路基板２００ｂには、当該カメラ１の各種電気回路が実装されている。
【００２２】
図２は、図１に示すカメラ１の内部の電気回路構成について詳しく示すブロック図である。なお、図１で説明した構成については、図１と同じ参照符号を付している。
【００２３】
図１でも説明したように、カメラ１は、レンズ鏡筒１００と、カメラ本体２００とから構成されている。
【００２４】
レンズ鏡筒１００の各部の制御はレンズ制御用マイクロコンピュータ（以下、Ｌｕｃｏｍと称する）１０１によって行われる。一方、カメラ本体２００の各部の制御はボディ制御用マイクロコンピュータ（以下、Ｂｕｃｏｍと称する）２０１によって行われる。ここで、カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００２５】
また、上述したように、レンズ鏡筒１００の内部には、撮影光学系１０２が配設されている。ここで、図２においては、撮影光学系１０２を構成する複数の光学レンズを１つの光学レンズで代表して図示している。この撮影光学系１０２は、レンズ駆動機構１０３内に存在する図示しないＤＣモータにより、その光軸方向に駆動される。
【００２６】
また、撮影光学系１０２の後方には絞り１０４が設けられている。この絞り１０４は、絞り駆動機構１０５内に存在する図示しないステッピングモータによって開閉駆動される。絞り１０４の開閉が制御されることによって、撮影光学系１０２を介してカメラ本体２００に入射する被写体からの光束の光量が制御される。
【００２７】
ここで、レンズ駆動機構１０３内のＤＣモータの制御及び絞り駆動機構１０５内のステッピングモータの制御は、Ｂｕｃｏｍ２０１の指令を受けたＬｕｃｏｍ１０１によって行われる。
【００２８】
また、カメラ本体２００の内部には、メインミラー２０２ａ、フォーカシングスクリーン２０２ｂ、ペンタプリズム２０２ｃ、接眼レンズ２０２ｄから構成されるファインダ装置が設けられている。カメラ１が通常状態にある場合には、上述したように、撮影光学系１０２を介して入射した被写体からの光束の一部がメインミラー２０２ａで反射される。これによって、フォーカシングスクリーン２０２ｂ、ペンタプリズム２０２ｃ、及び接眼レンズ２０２ｄを介して観察用の像が形成される。
【００２９】
ここで、ペンタプリズム２０２ｃの近傍には測光回路２０４が設けられており、ペンタプリズム２０２ｃを通過した光束の一部が測光回路２０４内の図示しないホトセンサに入射するようになっている。測光回路２０４では、ホトセンサで検出された光束の光量に基づき周知の測光処理が行われる。測光回路２０４で処理された結果は、Ｂｕｃｏｍ２０１に送信される。Ｂｕｃｏｍ２０１では、測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて絞り１０４の駆動制御が行われる。
【００３０】
また、メインミラー２０２ａを透過してサブミラー２０３で反射された光束は自動焦点調節処理（ＡＦ処理）を行うためのＡＦセンサユニット２０５に導かれる。ＡＦセンサユニット２０５の内部には、例えば位相差方式のＡＦを行うためのＡＦセンサが設けられている。このＡＦセンサに入射した光束は電気信号に変換される。ＡＦセンサユニット２０５のＡＦセンサからの出力は、ＡＦセンサ駆動回路２０６を介してＢｕｃｏｍ２０１へ送信される。そして、Ｂｕｃｏｍ２０１において測距処理が行われ、撮影光学系１０２の焦点状態が演算される。この結果は、Ｂｕｃｏｍ２０１からＬｕｃｏｍ１０１に送信される。Ｌｕｃｏｍ１０１では、Ｂｕｃｏｍ２０１から通知された焦点状態に基づいて撮影光学系１０２の駆動制御が行われる。
【００３１】
また、カメラ１が撮影動作状態にあるときには、メインミラー２０２ａが撮影光学系１０２の光軸から退避する所定のアップ位置に移動される。このようなメインミラー２０２ａの駆動は、ミラー駆動機構２０７によって行われる。また、ミラー駆動機構２０７の制御は、Ｂｕｃｏｍ２０１によって行われる。ここで、メインミラー２０２ａがアップ位置に移動された場合には、それに伴ってサブミラー２０３が折り畳まれるようになっている。
【００３２】
メインミラー２０２ａがアップ位置に移動されることによって、撮影光学系１０２を透過した被写体からの光束はシャッタ部２０８の方向に入射する。フォーカルプレーン式のシャッタ部２０８を構成する先幕と後幕とを駆動するためのばね力は、シャッタチャージ機構２０９によってチャージされる。また、先幕と後幕の駆動は、シャッタ制御回路２１０によって行われる。これらシャッタチャージ機構２０９及びシャッタ制御回路２１０は、Ｂｕｃｏｍ２０１によって制御される。
【００３３】
シャッタ部２０８を通過した光束は、シャッタ部２０８の後方に配置された撮像ユニット２１１内部の撮像素子２１２に入射する。この撮像素子２１２は、撮像素子２１２と撮影光学系１０２との間に配設された防塵フィルタ２１３によって保護されている。防塵フィルタ２１３は、例えばガラス等の透明部材で構成されている。
【００３４】
また、防塵フィルタ２１３の周縁部には、該防塵フィルタ２１３を所定の振動周波数で振動させるための圧電素子２１４が取り付けられている。圧電素子２１４は、２つの電極を有しており、防塵フィルタ駆動回路２１５によって駆動される。また、防塵フィルタ２１３の制御は、Ｂｕｃｏｍ２０１によって行われる。防塵フィルタ駆動回路２１５によって圧電素子２１４を振動させることによって、防塵フィルタ２１３が振動する。これによって、防塵フィルタ２１３の表面に付着した塵埃が払い落とされる。
【００３５】
ここで、撮像素子２１２と圧電素子２１４とは、防塵フィルタ２１３を一面とするケース内に一体的に収納されている。これにより、撮像素子２１２への塵埃の付着を確実に防止することができる。
【００３６】
また、撮像ユニット２１１の近傍には、温度測定回路２１６が設けられている。通常、温度はガラス製の物材の弾性係数に影響する。つまり、温度の変化は防塵フィルタ２１３の固有振動数を変化させる要因の１つとなるため、防塵フィルタ２１３を振動させる際には、常にその周辺温度が計測されるようにしている。なお、温度測定回路２１６の温度測定ポイントは防塵フィルタ２１３の振動面の極近傍に設定することが好ましい。このように、温度の変化を考慮しながら防塵フィルタ２１３の振動を制御することにより、常に最適な条件で防塵フィルタ２１３を振動させることが可能である。
【００３７】
撮像素子２１２で得られた電気信号（画像信号）は、所定タイミング毎に撮像インターフェイス回路２１７を介して読み出されてデジタル化される。撮像インターフェイス回路２１７でデジタル化されて得られた画像データは、画像処理コントローラ２１８を介してＳＤＲＡＭなどで構成されたバッファメモリ２１９に格納される。ここで、バッファメモリ２１９は、画像データなどのデータの一時保管用メモリであり、画像データに各種処理が施される際のワークエリアなどに利用される。
【００３８】
また、電子ビューファインダ（ＥＶＦ）表示が行われる時には、撮像インターフェイス回路２１７を介して読み出され、バッファメモリ２１９に格納された画像データが第１の読出手段及び第２の読出手段としての画像処理コントローラ２１８によって読み出される。画像処理コントローラ２１８によって読み出された画像データは、ＥＶＦ表示用のホワイトバランス補正などの画像処理が施された後、バッファメモリ２１９に格納される。その後、バッファメモリ２１９に格納された画像データは、フレーム単位で画像処理コントローラ２１８によって読み出されてビデオ信号に変換される。このビデオ信号は、表示用の所定のサイズにリサイズされた後、表示手段としての液晶モニタ２２２に表示される。なお、ＥＶＦ表示は、メインミラー２０２ａがアップ位置にある場合に行われる。
【００３９】
また、撮影終了後には、撮像インターフェイス回路２１７を介して読み出され、バッファメモリ２１９に格納された画像データが画像処理コントローラ２１８によって読み出される。画像処理コントローラ２１８によって読み出された画像データは、ホワイトバランス補正や、階調補正、色補正などの周知の画像処理が施された後、バッファメモリ２１９に格納される。その後、バッファメモリ２１９に格納された画像データが画像処理コントローラ２１８によって読み出されてビデオ信号に変換され、表示用の所定のサイズにリサイズされた後、液晶モニタ２２２に出力表示される。ユーザは、液晶モニタ２２２に表示された画像により、撮影した画像を確認することができる。
【００４０】
また、画像記録時には、画像処理コントローラ２１８によって処理された画像データが、ＪＰＥＧ方式などの周知の圧縮方式によって圧縮される。ＪＰＥＧ圧縮によって得られたＪＰＥＧデータは、バッファメモリ２１９に格納された後、所定のヘッダ情報が付加されたＪＰＥＧファイルとして、画像記憶手段としてのＦｌａｓｈＲＯＭ２２０や記録メディア２２１に記録される。ここで、ＦｌａｓｈＲＯＭ２２０はカメラ１に内蔵のメモリを想定しており、記録メディア２２１はカメラ１の外部に装着されるものを想定している。記録メディア２２１としては、例えばカメラ１に着脱自在に構成されたメモリカードやハードディスクドライブなどが用いられる。
【００４１】
また、ＦｌａｓｈＲＯＭ２２０や記録メディア２２１に記録されたＪＰＥＧファイルから画像を再生する際には、ＦｌａｓｈＲＯＭ２２０や記録メディア２２１に記録されたＪＰＥＧデータが画像処理コントローラ２１８によって読み出されて伸長される。その後、この伸長データがビデオ信号に変換された後、表示用の所定のサイズにリサイズされ、液晶モニタ２２２に出力表示される。
【００４２】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。
【００４３】
更に、Ｂｕｃｏｍ２０１には、電源回路２２４を介して電源としての電池２２５が接続されている。電源回路２２４では、電池２２５の電圧が、当該カメラシステムの各部が必要とする電圧に変換され、当該カメラシステムの各部に供給される。
【００４４】
更に、Ｂｕｃｏｍ２０１には、当該カメラ１の動作状態を表示出力によってユーザに告知するための動作表示用ＬＣＤ２２６と、当該カメラ１の各種操作部材の操作状態を検出するためのカメラ操作スイッチ（ＳＷ）２２７とが接続されている。
【００４５】
ここで、カメラ１の操作部材について説明する。図３〜図６は、カメラの操作部材について説明するためのカメラ１の外観図である。なお、図３はカメラ１の上面図を示し、図４はカメラ１の正面図を示し、図５はカメラ１の側面図を示し、図６はカメラ１の背面図を示す。
【００４６】
図３に示すように、カメラ１の上面には、パワースイッチレバー３０１と、レリーズボタン３０２と、モードダイヤル３０３と、サブダイヤル３０４と、ＩＳＯボタン３０５と、露出補正ボタン３０６と、ホワイトバランス（ＷＢ）ボタン３０７と、画質モードボタン３０８と、フラッシュモードボタン３０９と、ＬＩＧＨＴボタン３１０とが設けられている。
【００４７】
パワースイッチレバー３０１は、当該カメラ１の電源のＯＮ／ＯＦＦをするための操作部材である。このパワースイッチレバー３０１が回動操作されることにより、当該カメラ１のメイン電源のＯＮ／ＯＦＦが切り換えられる。
【００４８】
レリーズボタン３０２は、撮影準備動作及び露光動作を実行させるためのボタンである。このレリーズボタンは、第１レリーズスイッチと第２レリーズスイッチの２段式のスイッチで構成されており、レリーズボタン３０２が半押し操作されることによって第１レリーズスイッチがＯＮされて測光処理や測距処理などの撮影準備動作が実行される。また、レリーズボタン３０２が全押し操作されることによって第２レリーズスイッチがＯＮされて露光動作が実行される。
【００４９】
モードダイヤル３０３は、撮影時の撮影モードを設定するための操作部材である。このモードダイヤル３０３が回転操作されることによって撮影時の撮影モードが設定される。図３の例では、例えばプログラムＡＥモード（Ｐ）、絞り優先ＡＥモード（Ａ）、シャッタ優先ＡＥモード（Ｓ）、マニュアルモード（Ｍ）、シーンモード（ＳＣＮ）の５つのモードが設定可能である。
【００５０】
プログラムＡＥモードは、カメラ１によって演算された露光条件（絞り値及びシャッタスピード）に従って露光動作が行われるモードである。絞り優先ＡＥモードは、ユーザによって設定された絞り値に応じてシャッタスピードが設定されて露光が行われるモードである。シャッタ優先ＡＥモードは、ユーザによって設定されたシャッタスピードに応じて絞り値が設定されて露光が行われるモードである。マニュアルモードは、ユーザによって設定された絞り値及びシャッタスピードで露光が行われるモードである。シーンモードは、種々の撮影シーンに適した条件で撮影が行われるモードである。なお、シーンモードにおいては、モードダイヤル３０３をＳＣＮに設定した状態で、所望のシーンをメニュー画面上で設定する必要がある。
【００５１】
サブダイヤル３０４は、他の操作部材が押された状態で操作される操作部材である。このサブダイヤル３０４が回転操作されることにより、現在ユーザによって押されている操作部材に係る機能の設定変更を行うことが可能である。ここで、サブダイヤル３０４を利用した設定が行われているときには、そのときのカメラ１の動作状態が動作表示用ＬＣＤ２２６に表示される。ユーザはこの表示を見ながら設定変更を行うことができる。
【００５２】
ＩＳＯボタン３０５は、露光動作時の撮像素子感度（フィルムのＩＳＯ感度に相当する）を設定するためのボタンである。このＩＳＯボタン３０５が押されている状態でダイヤル操作がなされることにより、露光動作時の撮像素子感度の設定変更がなされる。
【００５３】
露出補正ボタン３０６は、露光動作時の露光量を補正するための露出補正値を設定するためのボタンである。この露出補正ボタン３０６が押されている状態でダイヤル操作がなされることにより、露出補正値の値が設定変更される。露出補正値を設定することにより、例えばプログラムＡＥモードなどにおいてカメラ１により自動的に演算された露光量が適正でない場合などでも、これを補正して撮影を行うことができる。
【００５４】
ＷＢボタン３０７は、ホワイトバランスをどのように行うのかを設定するためのボタンである。このＷＢボタン３０７が押されている状態でダイヤル操作がなされることにより、ホワイトバランスの設定が、オートホワイトバランス又はプリセットホワイトバランスに変更される。
【００５５】
オートホワイトバランスでは、ホワイトバランス補正がカメラ１によって自動的に行われる。また、プリセット光源ホワイトバランスでは、晴天時の太陽光や、蛍光灯、電球などといった種々の光源に応じて予め設定された条件でホワイトバランス補正が行われる。
【００５６】
画質モードボタン３０８は、画像記録時の画質モード（画像サイズと圧縮率）を設定するためのボタンである。この画質モードボタン３０８が押されている状態でダイヤル操作がなされることにより画質モードが変更される。
【００５７】
フラッシュモードボタン３０９は、当該カメラ１に図示しない外部フラッシュ装置が装着されている場合に、外部フラッシュ装置の発光モードを設定するためのボタンである。このフラッシュモードボタン３０９が押されている状態でダイヤル操作がなされることにより、発光モードが、例えばオート発光モード、赤目軽減発光モード、スローシンクロモード、強制発光モードの順で変更される。
【００５８】
オート発光モードは、外部フラッシュ装置の発光量などの条件がカメラ１によって自動的に設定されるモードである。赤目軽減発光モードは、撮影に先立って赤目軽減用のプリ発光がなされるモードである。スローシンクロモードは、低速シャッタを併用してフラッシュ発光が行われるモードであり、夜景撮影などに有効なモードである。強制発光モードは、撮影時の条件によらずにフラッシュを発光させるモードである。
【００５９】
ＬＩＧＨＴボタン３１０は、動作表示用ＬＣＤ２２６のバックライトを点灯又は消灯するためのボタンである。
【００６０】
また、図４に示すように、カメラ１の正面には、ワンタッチホワイトバランス（ＷＢ）ボタン３１１が設けられている。このワンタッチＷＢボタン３１１は、オートホワイトバランスやプリセットホワイトバランスで対応できないホワイトバランス条件を登録するためのボタンである。
【００６１】
また、図５に示すように、カメラ１の側面には、オートブラケット（ＢＫＴ）ボタン３１２と、測光モードボタン３１３と、ＤＲＩＶＥモードボタン３１４と、フォーカスモードレバー３１５とが設けられている。
【００６２】
ＢＫＴボタン３１２は、ブラケット撮影時の撮影枚数や露出補正量、ホワイトバランスゲインを設定するためのボタンである。ブラケット撮影では、露光量やホワイトバランスゲインが異なる複数枚の画像が撮影される。ＢＫＴボタン３１２が押されている状態でダイヤル操作がなされることにより、撮影枚数や露出補正量、ホワイトバランスゲインが変更される。
【００６３】
測光モードボタン３１３は、測光処理時の測光モードを設定するためのボタンである。この測光モードボタン３１３が押されている状態でダイヤル操作がなされることにより、測光モードが、例えばスポット測光モード、中央部重点平均測光モード、評価測光モードの順で変更される。
【００６４】
スポット測光モードは、画面内の極狭い範囲内の光量に基づいて測光処理が行われるモードである。また、中央部重点平均測光モードは、画面内の中央部に対して重み付けがなされた平均測光が行われるモードである。更に、評価測光モードは、画面内が複数の領域に分割されて測光処理され、分割領域毎に得られた結果が評価されることにより最終的な測光結果が得られるモードである。
【００６５】
ＤＲＩＶＥモードボタン３１４は、カメラ１の動作モードを設定するためのボタンである。このＤＲＩＶＥモードボタン３１４が押されている状態でダイヤル操作がなされることにより、動作モードが、例えば単写モード、連写（連続撮影）モード、セルフモード、リモコンモードの順で変更される。
【００６６】
単写モードは、ユーザによるレリーズボタン３０２の全押操作に応答して１フレームの画像の撮影が行われるモードである。また、連写モードは、ユーザがレリーズボタン３０２を全押操作している間、撮影動作が繰り返され、これによって複数フレームの画像の撮影が行われるモードである。セルフモードは、レリーズボタン３０２の全押操作後、所定時間後に露光動作が行われる、所謂セルフタイマ撮影が行われるモードである。また、リモコンモードは、カメラ１を図示しないリモートコントローラによって操作可能にするためのモードである。
【００６７】
フォーカスモードレバー３１５は、撮影時のＡＦモードを設定するための操作部材である。このフォーカスモードレバー３１５が切り替えられることにより、ＡＦモードが、例えばシングルＡＦモード、コンティニュアスＡＦモード、パワーフォーカス（ＰＦ）モードの順で変更される。
【００６８】
シングルＡＦモードは、一旦、撮影光学系１０２の焦点制御が行われた後は、レリーズボタン３０２の半押しが解除されるまで撮影光学系１０２の焦点状態が固定されるモードである。コンティニュアスＡＦモードは、被写体の動きに追従して撮影光学系１０２の焦点制御が行われるモードである。ＰＦモードは、ユーザが手動で撮影光学系１０２の焦点調節を行うことができるモードである。
【００６９】
また、図６に示すように、カメラ１の背面には、メインダイヤル３１６と、ＡＦフレームボタン３１７と、ＡＥロックボタン３１８と、再生モードボタン３１９と、消去ボタン３２０と、プロテクトボタン３２１と、情報表示ボタン３２２と、メニューボタン３２３と、十字ボタン３２４と、ＯＫボタン３２５とが設けられている。
【００７０】
メインダイヤル３１６は、サブダイヤル３０４と同一の機能を有する操作部材であり、このメインダイヤル３１６が回転操作されることにより、現在ユーザによって押されている操作部材に係る機能の設定変更を行うことが可能である。
【００７１】
ＡＦフレームボタン３１７は、撮影時のＡＦ方式を選択するためのボタンである。このＡＦフレームボタン３１７が押されている状態でダイヤル操作がなされることにより、ＡＦ方式が、例えばマルチＡＦ又はスポットＡＦに変更される。
【００７２】
マルチＡＦでは、画面内の複数測距点の焦点状態が検出される。一方、スポットＡＦでは、画面内の一点（複数候補の中から選択できる）の焦点状態が検出される。
【００７３】
ＡＥロックボタン３１８は、露光条件を固定するためのボタンである。このＡＥロックボタン３１８が押されている間は、そのとき演算されている露光量が固定される。
【００７４】
再生モードボタン３１９は、カメラ１の動作モードを、ＦｌａｓｈＲＯＭ２２０や記録メディア２２１に記録されたＪＰＥＧファイルから画像を再生できる再生モードに切り替えるためのボタンである。
【００７５】
消去ボタン３２０は、再生モード中において画像データ（ＪＰＥＧファイル）をＦｌａｓｈＲＯＭ２２０や記録メディア２２１から消去するためのボタンである。
【００７６】
プロテクトボタン３２１は、再生モード中において、誤って画像データが消去されないように、画像データにプロテクトをかけるためのボタンである。
【００７７】
情報表示ボタン３２２は、画像データの付加情報（例えば、Ｅｘｉｆ情報）に基づく画像情報を表示させるためのボタンである。
【００７８】
メニューボタン３２３は、液晶モニタ２２２にメニュー画面を表示させるためのボタンである。このメニュー画面は、複数の階層構造からなるメニュー項目によって構成されている。ユーザは、所望のメニュー項目を、手動操作部材としての十字ボタン３２４ａ〜３２４ｄを押圧操作することで選択することができ、ＯＫボタン３２５で選択した項目を決定することができる。ここで、メニュー項目としては、例えばＦｌａｓｈＲＯＭ２２０や記録メディア２２１のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類などのカメラの動作状態を設定するセットアップメニューなどがある。
【００７９】
例えば、シーンモードの設定時には、モードダイヤル３０３がシーンモード（ＳＣＮ）に設定されている状態で、メニュー画面上で所望のシーンを選択することができる。このシーンの例としては、ポートレート、スポーツ、記念撮影、風景、夜景などがある。これら選択されたシーンに応じて露光条件、フラッシュ発光の条件、測光モード、ＡＦ方式、連写間隔などの撮影時の撮影条件が設定される。
【００８０】
更に、十字ボタン３２４ａ〜３２４ｄは、再生モード時において液晶モニタ２２２に表示させる画像の更新するためのボタンとしても機能する。第１の操作部材である十字ボタン（右）３２４ａと十字ボタン（左）３２４ｂの何れかが操作されることにより、ＦｌａｓｈＲＯＭ２２０や記録メディア２２１に記録された画像の中から１枚の画像が読み出されて表示画像の更新が行われる。また、第２の操作部材である十字ボタン（上）３２４ｃと十字ボタン（下）３２４ｄの何れかが操作されることにより、そのときの操作力量（ここでは押圧力量）に応じた間隔で、ＦｌａｓｈＲＯＭ２２０や記録メディア２２１に記録された画像が連続的に読み出されて表示画像の更新が行われる。
【００８１】
図７は、第２の操作部材の構成を示した図である。第２の操作部材には、感圧センサが設けられており、この感圧センサによって押圧力量が検出される。
【００８２】
押圧部４０１は、ユーザにより押操作される部分である。この押圧部４０１が押圧されることによって、押圧部４０１の裏側に配された感圧センサチップ４０２が加圧される。ここで、感圧センサチップ４０２には導電部４０３が取り付けられており、この導電部４０３を介してベース基板４０５上に設けられた導電パターン４０４からの電流が感圧センサチップ４０２に流れるようになっている。
【００８３】
また、感圧センサチップ４０２は、例えば絶縁性のゴム材料中に導電性粒子を均一に分散させることにより構成されている。この感圧センサチップ４０２は、無加圧時には、導電性粒子が互いに接触しないようになっており、この場合には感圧センサチップ４０２は高い抵抗値を有している。これに対し、加圧時には、その加圧量に応じて導電性粒子が接触して導電経路が形成されるので、感圧センサチップ４０２の抵抗値が減少する。
【００８４】
図８は、図６に示す十字ボタンの操作状態を検出するための検出手段の電気回路構成について示す図である。図８において、十字ボタン（右）３２４ａを構成するスイッチ（以下、スイッチ３２４ａと称する）の一端はＢｕｃｏｍ２０１のＲスイッチ入力端子ＳＷＩＮ２に接続され、十字ボタン（左）３２４ｂを構成するスイッチ（以下、スイッチ３２４ｂと称する）の一端はＢｕｃｏｍ２０１のＬスイッチ入力端子ＳＷＩＮ１に接続されている。また、これらスイッチの他端はスイッチング用のトランジスタ５０３のコレクタに接続されている。このトランジスタ５０３のベースはトランジスタ（Ｔｒ）制御信号入力端子ＣＮＴに接続され、エミッタは接地されている。
【００８５】
また、十字ボタン（上）３２４ｃを構成する感圧センサ（以下、感圧センサ３２４ｃと称する）の一端は抵抗５０１に接続され、十字ボタン（下）３２４ｄを構成する感圧センサ（以下、感圧センサ３２４ｄと称する）の一端は抵抗５０２に接続されている。また、これら感圧センサの他端はトランジスタ５０３のコレクタに接続されている。更に、感圧センサ３２４ｃと抵抗５０１との間にはＢｕｃｏｍ２０１のＡＤ入力端子ＡＤＩＮ１が接続され、感圧センサ３２４ｄと抵抗５０２との間にはＢｕｃｏｍ２０１のＡＤ入力端子ＡＤＩＮ２が接続されている。そして、これらＡＤ入力端子はＢｕｃｏｍ２０１内のアナログ／デジタル（Ａ／Ｄ）変換器２０１ａに接続されている。
【００８６】
図８において、十字ボタンの未使用時には、トランジスタ５０３がＯＦＦされる。この状態ではスイッチ３２４ａ、スイッチ３２４ｂ、感圧センサ３２４ｃ、及び感圧センサ３２４ｄには電流が流れない。このようなトランジスタ５０３の作用により、感圧センサ３２４ｃと感圧センサ３２４ｄとに定常的に電流が流れるのを防止することができ、省エネルギー化に繋がる。
【００８７】
一方、十字ボタンの使用時には、トランジスタ５０３がＯＮされる。この状態ではスイッチ３２４ａ、スイッチ３２４ｂ、感圧センサ３２４ｃ、及び感圧センサ３２４ｄに電流が流れるようになる。
【００８８】
トランジスタ５０３がＯＮの状態でスイッチ３２４ａがＯＮされた場合にはＲスイッチ入力信号が、スイッチ３２４ｂがＯＮされた場合にはＬスイッチ入力信号がＢｕｃｏｍ２０１に入力される。これにより、Ｂｕｃｏｍ２０１において十字ボタン（右）３２４ａや十字ボタン（左）３２４ｂが押されたことが検出される。
【００８９】
また、トランジスタ５０３がＯＮの状態で感圧センサ３２４ｃや感圧センサ３２４ｄが加圧されたときには、その加圧状態に応じて感圧センサと抵抗との間の電圧が変化する。この電圧はＢｕｃｏｍ２０１内部のＡ／Ｄ変換器２０１ａにおいてデジタル化される。
【００９０】
図９は、感圧センサの押圧力量と感圧センサの抵抗値との対応関係、及び感圧センサの押圧力量とＡ／Ｄ変換器２０１ａにおけるＡ／Ｄ出力値との対応関係ついて示す図である。
【００９１】
例えば、ユーザによる十字ボタンの押圧力量が０．０１（Ｎ）程度の場合には、感圧センサの抵抗値は図９に示すように６（ｋΩ）程度になり、１（Ｎ）程度の場合には１０（Ω）程度になる。この抵抗値の変化に応じて感圧センサと抵抗との接続点の電位が変化する。この接続点とグランドとの電位差がＡ／Ｄ変換器２０１ａによって取り込まれてデジタル化される。これによって得られるＡ／Ｄ出力値は図９に示すように１１０や０００となる。
【００９２】
ここで、図９の例では、押圧力量をＡ／Ｄ変換器２０１ａにおいて８値化するようにしているが、８値化以外の多値化であっても良いことは言うまでもない。
【００９３】
デジタル化の後、Ｂｕｃｏｍ２０１では、Ａ／Ｄ変換器２０１ａのＡ／Ｄ出力値に基づいて図１０に示すテーブルが参照されて十字ボタン３２４ｃ又は３２４ｄのＯＮ／ＯＦＦ判定と待機時間ｔの決定とが行われる。ここで、待機時間ｔは、後述する再生モード時における表示画像の更新間隔を決定するための時間であり、十字ボタン３２４ｃ又は３２４ｄの押圧力量が大きくなるにつれて短くなるように決定される。なお、上記した例では、待機時間ｔは１．５（ｓ）または０．１（ｓ）となる。
【００９４】
次に、以上説明したような構成を有するカメラ１の撮影時の動作について図１１を参照して説明する。図１１は、カメラ１の撮影時の動作について示すフローチャートである。なお、この図１１のフローチャートの処理は、ユーザによってレリーズボタン３０２が半押しされた時点で開始される。
【００９５】
ユーザによってレリーズボタン３０２が半押しされると、第１レリーズスイッチがＯＮされる。これに応じて、測光回路２０４において測光処理が行われる。この結果は、Ｂｕｃｏｍ２０１に送信され、Ｂｕｃｏｍ２０１において露光量が演算される（ステップＳ１）。次に、ＡＦセンサユニット２０５において検出された信号がＡＦセンサ駆動回路２０６を介してＢｕｃｏｍ２０１へ送信される。これに応じて、Ｂｕｃｏｍ２０１において測距処理が行われて撮影光学系１０２の焦点状態が演算される。そして、この焦点状態に応じてＬｕｃｏｍ１０１において焦点調節に必要な撮影光学系１０２の駆動量が演算される。そして、ここで演算された駆動量に基づいて撮影光学系１０２の駆動が行われる（ステップＳ２）。
【００９６】
その後、ユーザによって第２レリーズスイッチがＯＮされたか否か、即ちレリーズボタン３０２が全押しされたか否かが判定される（ステップＳ３）。ステップＳ３において、第２レリーズスイッチがＯＮされていない場合には、ステップＳ３からステップＳ１９に分岐して、第１レリーズスイッチがＯＮのままであるか否かが判定される（ステップＳ１９）。ステップＳ１９の判定において、第１レリーズスイッチがＯＮのままである場合には、ステップＳ１９からステップＳ３に戻る。一方、ステップＳ１９の判定において、第１レリーズスイッチがＯＦＦされた場合には、図１１の処理が終了され、図示しないカメラ１のメインの処理に復帰する。
【００９７】
また、ステップＳ３の判定において、第２レリーズスイッチがＯＮされた場合には、ステップＳ３からステップＳ４に分岐して、メインミラー２０２ａがアップ位置に移動される（ステップＳ４）。次に、カメラ１の動作モードが連写モードであるか否かが判定される（ステップＳ５）。
【００９８】
ステップＳ５の判定において、カメラ１の動作モードが連写モードである場合には、ステップＳ５をステップＳ６に分岐して、連写モードの処理が開始される。まず、ステップＳ１で演算された露光量に基づいて絞り１０４の絞り込みが行われる（ステップＳ６）。次に、撮像素子２１２の撮像動作が開始される（ステップＳ７）。その後、ステップＳ１で演算された露光量に基づいてシャッタ部２０８の開閉駆動が行われる（ステップＳ８）。シャッタ部２０８が閉じられた後、撮像素子２１２の撮像動作が停止される（ステップＳ９）。
【００９９】
次に、撮像素子２１２で得られた画像信号に基づいてＥＶＦ表示が開始される（ステップＳ１０）。ここで、メインミラー２０２ａがアップ位置に移動されている間は、ファインダ装置による被写体観察を行うことができない。連写モードの場合には、メインミラー２０２ａがアップ位置に移動されている状態で複数回の撮影が行われるため、連写の間にも被写体観察を行うことができるように、このようなＥＶＦ表示が行われるようになっている。
【０１００】
その後、撮像素子２１２で得られた画像信号に基づく画像データがバッファメモリ２１９に格納される（ステップＳ１１）。なお、バッファメモリ２１９は、高速連写によって撮影される多数の画像データを一時格納するのに十分な容量を有しているものである。
【０１０１】
次に、ユーザによって第２レリーズスイッチがＯＦＦされたか否かが判定される（ステップＳ１２）。ステップＳ１２の判定において、第２レリーズスイッチがＯＮのままである場合には、ステップＳ１２をステップＳ７に分岐して、次の画像の撮影が実行される。一方、ステップＳ１２の判定において、第２レリーズスイッチがＯＦＦされた場合には、ステップＳ１２をステップＳ１３に分岐して、連写撮影が終了される。まず、ＥＶＦ表示が終了される（ステップＳ１３）。次に、絞り１０４が開放され（ステップＳ１４）、メインミラー２０２ａがダウン位置に移動される（ステップＳ１５）。その後、バッファメモリ２１９に格納された画像データが、例えばＪＰＥＧ形式でＦｌａｓｈＲＯＭ２２０や記録メディア２２１に記録される（ステップＳ１６）。その後、図１１の処理が終了され、カメラ１のメインの処理に復帰する。このような処理によって連写手段の機能が実現される。
【０１０２】
また、ステップＳ５の判定において、カメラ１の動作モードが単写モードである場合には、ステップＳ５をステップＳ２１に分岐して、単写モードの処理が開始される。まず、ステップＳ１で演算された露光量に基づいて絞り１０４の絞り込みが行われる（ステップＳ２１）。次に、撮像素子２１２の撮像動作が開始される（ステップＳ２２）。その後、ステップＳ１で演算された露光量に基づいてシャッタ部２０８の開閉駆動が行われる（ステップＳ２３）。シャッタ部２０８が閉じられた後、撮像素子２１２の撮像動作が停止される（ステップＳ２４）。撮像素子２１２の撮像動作が停止された後、画像データが、例えばＪＰＥＧ形式でＦｌａｓｈＲＯＭ２２０や記録メディア２２１に記録される（ステップＳ２５）。
【０１０３】
次に、絞り１０４が開放され（ステップＳ２６）、メインミラー２０２ａがダウン位置に移動される（ステップＳ２７）。その後、ユーザによって第１レリーズスイッチがＯＦＦされたか否かが判定される（ステップＳ２８）。このステップＳ２８の判定は、第１レリーズスイッチがＯＦＦされるまで繰り返される。
【０１０４】
ステップＳ２８の判定において、第１レリーズスイッチがＯＦＦされた場合には、図１１の処理が終了され、カメラ１のメインの処理に復帰する。
【０１０５】
図１２は、ＦｌａｓｈＲＯＭ２２０や記録メディア２２１に記録された画像が再生される際の処理について示すフローチャートである。
【０１０６】
ユーザによって、再生モードボタン３１９が押され、カメラ１の動作モードが再生モードに切り替えられると、図１２の処理が開始される。まずＦｌａｓｈＲＯＭ２２０又は記録メディア２２１に記録されている複数の画像の中で、最新の画像が液晶モニタ２２２に表示される（ステップＳ３１）。ここで、最新の画像とは最後に撮影された画像のことである。ただし、その画像が連写撮影によって得られた一連の画像の中の最後の画像の場合には、連写撮影の最初の画像がステップＳ３１における最新の画像として表示される。
【０１０７】
最新の画像が液晶モニタ２２２に表示された後、ユーザによって十字ボタン（右）３２４ａが押されたか否か、即ちスイッチ３２４ａがＯＮされたか否かが判定される（ステップＳ３２）。
【０１０８】
ステップＳ３２の判定において、スイッチ３２４ａがＯＮされた場合には、ステップＳ３２をステップＳ４１に分岐して、現在、液晶モニタ２２２に表示されている画像の１つ前の画像が選択される（ステップＳ４１）。このとき、１つ前の画像があるか否かが判定され（ステップＳ４２）、１つ前の画像がない場合には、ステップＳ４２をステップＳ４３に分岐して、最後に撮影された画像（連写の場合には連写の最初の画像）が選択される。その後、ステップＳ４４に進む。
【０１０９】
また、ステップＳ３２の判定において、スイッチ３２４ａが押されていない場合には、ステップＳ３２をステップＳ３３に分岐して、ユーザによって十字ボタン（左）３２４ｂが押されたか否か、即ちスイッチ３２４ｂがＯＮされたか否かが判定される（ステップＳ３３）。
【０１１０】
ステップＳ３３の判定において、スイッチ３２４ｂが押された場合には、ステップＳ３３をステップＳ５１に分岐して、現在、液晶モニタ２２２に表示されている画像の１つ後の画像が選択される（ステップＳ５１）。このとき、１つ後の画像があるか否かが判定され（ステップＳ５２）、１つ後の画像がない場合には、ステップＳ５２をステップＳ５３に分岐して、最初に撮影された画像が選択される（ステップＳ５３）。その後、ステップＳ４４に進む。
【０１１１】
十字ボタン（右）３２４ａ若しくは十字ボタン（左）３２４ｂの何れかがＯＮされて画像の選択が行われた場合には、選択された画像がＦｌａｓｈＲＯＭ２２０や記録メディア２２１から読み出されて液晶モニタ２２２に表示される（ステップＳ４４）。その後、スイッチ３２４ａとスイッチ３２４ｂとが共にＯＦＦされたか否かが判定される（ステップＳ４５）。スイッチ３２４ａとスイッチ３２４ｂとが共にＯＦＦされるまで、このステップＳ４５の判定は行われる。一方、ステップＳ４５の判定において、スイッチ３２４ａとスイッチ３２４ｂとが共にＯＦＦされた場合には、ステップＳ４５をステップＳ３８に分岐する。
【０１１２】
また、ステップＳ３３の判定において、スイッチ３２４ｂが押されていない場合には、ステップＳ３３をステップＳ３４に分岐して、十字ボタン（上）３２４ｃの押圧力量が検出される（ステップＳ３４）。次に、十字ボタン（上）３２４ｃがＯＮされたか否かが判定される（ステップＳ３５）。この判定は、感圧センサ３２４ｃで検出された押圧力量が所定量未満であり、その結果得られたＡ／Ｄ出力値が１１１であるか否かによって判定される。
【０１１３】
ステップＳ３５の判定において、十字ボタン（上）３２４ｃがＯＮされた場合には、ステップＳ３５をステップＳ６１に分岐する。そして、図１０のテーブルに基づいて待機時間ｔが設定される（ステップＳ６１）。次に、現在、液晶モニタ２２２に表示されている画像の１つ前の画像が選択される（ステップＳ６２）。このとき、１つ前の画像があるか否かが判定され（ステップＳ６３）、１つ前の画像がない場合には、ステップＳ６３をステップＳ６４に分岐して、最後に撮影された画像（連写の場合には連写の最初の画像）が選択される（ステップＳ６４）。その後、ステップＳ７５に進む。
【０１１４】
また、ステップＳ３５の判定において、十字ボタン（上）３２４ｃがＯＮされていない場合には、ステップＳ３５をステップＳ３６に分岐して、十字ボタン（下）３２４ｄの押圧力量が検出される（ステップＳ３６）。次に、十字ボタン（下）３２４ｄがＯＮされたか否かが判定される（ステップＳ３７）。ステップＳ３７の判定において、十字ボタン（下）３２４ｄがＯＮされていない場合には、ステップＳ３７をステップＳ３８に分岐する。
【０１１５】
一方、ステップＳ３７の判定において、十字ボタン（下）３２４ｄがＯＮされた場合には、ステップＳ３７をステップＳ７１に分岐する。そして、図１０のテーブルに基づいて待機時間ｔが設定される（ステップＳ７１）。次に、現在、液晶モニタ２２２に表示されている画像の１つ後の画像が選択される（ステップＳ７２）。このとき、１つ後の画像があるか否かが判定され（ステップＳ７３）、１つ後の画像がない場合には、ステップＳ７３をステップＳ７４に分岐して、最初に撮影された画像が選択される（ステップＳ７４）。その後、ステップＳ７５に進む。
【０１１６】
十字ボタン（上）３２４ｃ若しくは十字ボタン（下）３２４ｄの何れかがＯＮされて画像の選択が行われた場合には、選択された画像がＦｌａｓｈＲＯＭ２２０や記録メディア２２１から読み出されて液晶モニタ２２２に表示される（ステップＳ７５）。この状態が待機時間ｔだけ維持された後（ステップＳ７６）、ステップＳ３８に分岐する。
【０１１７】
以上の処理の後、再生モードボタン３１９又はレリーズボタン３０２が押されたか否かが判定される（ステップＳ３８）。ステップＳ３８の判定において、再生モードボタン３１９及びレリーズボタン３０２の何れも押されていない場合には、ステップＳ３８をステップＳ３２に戻り、画像の表示が継続される。一方、ステップＳ３８の判定において、再生モードボタン３１９又はレリーズボタン３０２が押された場合には、図１２の処理が終了され、カメラ１のメインの処理に復帰する。
【０１１８】
以上説明したように、本一実施形態によれば、十字ボタンの右側若しくは左側のボタンの操作では、ステップＳ４５において十字ボタンの押操作が解除されるまで次の画像が表示されない。これに対し、十字ボタンの上側若しくは下側のボタンの操作では、十字ボタンの押操作が解除されなくとも所定の待機時間ｔが経過する毎に次の画像が表示される。このように、本一実施形態では、十字ボタンの上側若しくは下側のボタンを利用することにより、表示画像の更新操作を画像１枚ずつに対して行う必要がない。
【０１１９】
また、待機時間ｔはユーザによる十字ボタンの押圧力量によって決定されるので、ユーザの好みの速度で表示画像の更新を行うことができる。これにより、効率良くベストショット画像を探し出すことができる。
【０１２０】
ここで、十字ボタンの上側若しくは下側のボタンが操作されたときには、そのときの押圧力が分かるように、図１３（ａ）や図１３（ｂ）に示す押圧インジケータ６０１を液晶モニタ２２２にスーパーインポーズ表示させるようにしても良い。図１３（ａ）や図１３（ｂ）に示す押圧インジケータ６０１は、例えば押圧力量（即ち、Ａ／Ｄ変換器２０１ａにおけるＡ／Ｄ出力値）に応じたバー表示を行うようにする。例えば押圧力が弱い場合には図１３（ａ）のようにバーを短く表示し、押圧力が強い場合には図１３（ｂ）のようにバーを長く表示するようにすることで、ユーザは押圧力量を視覚的かつ直感的に認識することができる。ここで、押圧力量を表示せずに待機時間ｔを表示させるようにしても良い。また、表示の形態もバー表示に限るものではない。
【０１２１】
更に、上記した実施形態では、画像の更新の指示を与えるための操作部材が押圧操作部材（十字ボタン）の例を示しているが、この操作部材を例えばダイアル操作式として、ダイアルの回転量や回転速度などに応じて待機時間ｔを設定するようにしても良い。
【０１２２】
以上実施形態に基づいて本発明を説明したが、本発明は上記した実施形態に限定されるものではなく、本発明の要旨の範囲内で種々の変形や応用が可能なことは勿論である。
【０１２３】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１２４】
【図１】本発明の一実施形態に係るデジタルカメラの構成を示すために、デジタルカメラ本体の一部を切断してその内部構成を概略的に示した斜視図である。
【図２】デジタルカメラの内部の電気回路構成について詳しく示すブロック図である。
【図３】デジタルカメラの外観上面図である。
【図４】デジタルカメラの外観正面図である。
【図５】デジタルカメラの外観側面図である。
【図６】デジタルカメラの外観背面図である。
【図７】第２の操作部材の構成を示した図である。
【図８】押圧力量を検出するための回路構成について示す図である。
【図９】感圧センサの押圧力量と感圧センサの抵抗値との対応関係、及び感圧センサの押圧力量とＡ／Ｄ出力値との対応関係ついて示す図である。
【図１０】Ａ／Ｄ出力値と待機時間とを対応付けたテーブルについて示す図である。
【図１１】デジタルカメラの撮影時の動作について示すフローチャートである。
【図１２】画像が再生される際の処理について示すフローチャートである。
【図１３】押圧インジケータの例について示す図である。
【符号の説明】
【０１２５】
１…デジタルカメラ（カメラ）、１００…レンズ鏡筒、１０１…レンズ制御用マイクロコンピュータ（Ｌｕｃｏｍ）、１０１ａ…通信コネクタ、１０２…撮影光学系、１０３…レンズ駆動機構、１０４…絞り、１０５…絞り駆動機構、２００…カメラ本体、２００ａ…撮影光学系装着部、２００ｂ…回路基板、２０１…ボディ制御用マイクロコンピュータ（Ｂｕｃｏｍ）、２０２ａ…クイックリターンミラー（メインミラー）、２０２ｂ…フォーカシングスクリーン、２０２ｃ…ペンタプリズム、２０２ｄ…接眼レンズ、２０３…サブミラー、２０４…測光回路、２０５…ＡＦセンサユニット、２０６…ＡＦセンサ駆動回路、２０７…ミラー駆動機構、２０８…シャッタ部、２０９…シャッタチャージ機構、２１０…シャッタ制御回路、２１１…撮像ユニット、２１２…撮像素子、２１３…防塵フィルタ、２１４…圧電素子、２１５…防塵フィルタ駆動回路、２１６…温度測定回路、２１７…撮像インターフェイス回路、２１８…画像処理コントローラ、２１９…バッファメモリ（ＳＤＲＡＭ）、２２０…ＦｌａｓｈＲＯＭ、２２１…記録メディア、２２２…液晶モニタ、２２３…不揮発性メモリ（ＥＥＰＲＯＭ）、２２４…電源回路、２２５…電池、２２６…動作表示用ＬＣＤ、２２７…カメラ操作スイッチ（ＳＷ）、３２４ａ〜３２４ｄ…十字ボタン
【図１】
2006246004.tif 000003
【図２】
2006246004.tif 000004
【図３】
2006246004.tif 000005
【図４】
2006246004.tif 000006
【図５】
2006246004.tif 000007
【図６】
2006246004.tif 000008
【図７】
2006246004.tif 000009
【図８】
2006246004.tif 000010
【図９】
2006246004.tif 000011
【図１０】
2006246004.tif 000012
【図１１】
2006246004.tif 000013
【図１２】
2006246004.tif 000014
【図１３】
2006246004.tif 000015